(57)【要約】三脚は、軸方向が調節されることができる支柱が中に挿入されているクロスピース（２）を有している。この支柱（３）は、光学並びに写真装置のための支持部（５）を一端部に有するロッド（４）を備えている。このロッドは、第１の部分（８）と第２の部分（９）とを少なくとも有している。これら部分の互いに面した端部には、これら部分（８，９）を軸方向で接続するために、雄型カップリング（１０）のための手段と雌型カップリング（１１）のためのカウンター手段とがそれぞれ設けられており、第１の部分と第２の部分とは、一方の部分が他方の部分の延出部である。第１の部分とこれのカップリングのための手段とは、支持部と一体成形されている。
2007537402.tif 000002
【特許請求の範囲】
【請求項１】
軸方向が調節され得る支柱（３）が中に挿入されているクロスピース（２）を具備し、前記支柱（３）は、光学若しくは写真装置のための支持部（５）を一端部に有するロッド（４）を備え、このロッドは、第１の部分（８）と第２の部分（９）とを少なくとも有し、これら第１の部分（８）と第２の部分（９）との互いに対向した端部には、これら第１の部分と第２の部分とを軸方向で接続するために、雄型カップリング（１０）のための手段と雌型カップリング（１１）のためのカウンター手段とがそれぞれ設けられ、前記第１の部分と第２の部分とは、一方の部分が他方の部分の延出部である三脚において、
前記第１の部分（８）と、これのカップリングのための手段とは、前記支持部と一体成形されていることを特徴とする三脚。
【請求項２】
前記第１の部分（８）は、プラスチック材料で形成されている請求項１の三脚。
【請求項３】
前記第１の部分（８）は、強化樹脂で形成されている請求項１の三脚。
【請求項４】
前記雄型カップリング（１０）は、前記第１の部分（８）に固定するように接続されている前記全ての請求項のいずれか１の三脚。
【請求項５】
前記雌型カップリング（１１）は、前記第２の部分（９）の対応した端部中に挿入されているビーカー形状部材（２４）により形成されている前記全ての請求項のいずれか１の三脚。
【請求項６】
前記雌型カップリング（１１）は、プラスチック材料で形成されている前記全ての請求項のいずれか１の三脚。
【請求項７】
少なくとも前記第２の部分（９）は、管状である前記全ての請求項のいずれか１の三脚。
【請求項８】
前記両部分（８，９）の各々は、シャフト（１２，２９）を有し、これらシャフトは、互いに着脱可能に装着されることができ、前記両シャフトは、前記ロッドのそれぞれの部分（８，９）中に支持されて保持されている前記全ての請求項のいずれか１の三脚。
【請求項９】
前記両シャフト（１２，２９）は、ねじ込み式のカップリングにより、互いに着脱可能に接続され得る請求項８の三脚。
【請求項１０】
前記第２の部分（９）のシャフト（２９）が、前記ビーカー形状部材（２４）と、第２の部分（９）の軸方向で反対側の端部のハンドグリップ（３２）との間に保持され、このハンドグリップ（３２）と、前記シャフト（２９）の径方向のふくらみ部分との間で弾性の負荷を受ける請求項５に従属した請求項８又は９の三脚。
【発明の詳細な説明】
【技術分野】
【０００１】
本発明は、２つの部分に分離されることができる支柱を有し、主請求項の前文に従った三脚に関する。
【背景技術】
【０００２】
写真の使用のための三脚は、入れ子式の３つの脚部と、写真装置を取着するための支持部とが、知られた方法で接続されているクロスピースを有している。これら脚部をクロスピースに接続するためのメカニズムにより、脚部を様々な開成角度(opening angles）でロックすることができる。
【０００３】
本発明は、特に、写真装置を取着するための支持部が、クロスピースの開口部中で軸方向に摺動可能であり、従って装置の容易な高さ調節を可能にする支柱に接続されている三脚のタイプに関する。
【０００４】
しかし、高さ調節により与えられるより容易な使用にも関わらず、このタイプの三脚にはいくつかの問題がある。一方では、装置の高さ調節の範囲が支柱の軸方向への延出により決定されるため、この支柱が、比較的長く軸方向に延出することは好ましいが、他方では、写真装置の支持部の下方に突出している支柱部分により、装置が、例えば地面近くのレベルで写真を撮るために、非常に低いポイントに位置されるのを妨げてしまう。
【０００５】
支柱の高さを変更させ、かつこの支柱を所望の位置にロックすることができる様々なメカニズムが、知られている。説明された問題を考慮して構成されたこれらメカニズムの一例が、Velbonの名前で欧州特許出願第７５１３３８号に開示されている。この特許文献では、摺動可能な支柱は、装置を取着するための支持部に接続された上側部分と、写真を低いアングルで撮らなければならない場合に取り外されることができる下側部分とを有している。
【０００６】
前記支柱の上側部分は、第１の金属のロッド部分を有しており、このロッド部分の一端部には、装置を取着するための支持部が規定され、ロッド部分の軸方向の他端部には、第２の金属のロッド部分に設けられたカウンターカップリング部材に接続されることができるカップリング部材が設けられている。
【０００７】
しかし、Velbonの解決策の２つの支柱部分をカップリングするためのメカニズムは、主に構造の複雑さにより、幾つかの問題を示している。
【０００８】
解決されるべき第１の問題は、正確な組み合わせにより製造工程の間に従来技術に従って取り外されなければならないカップリング部分間のクリアランスである。しかし、支柱が受ける打撃若しくは落下により、カップリングメカニズムの幾つかのパーツの装着状態が、緩くなってしまう。例えば、２つの部分が分離されたとき、ロックメカニズムの比較的とがった部材は、支柱の下側部分で露出され、容易に損傷してしまう。
【発明の開示】
【発明が解決しようとする課題】
【０００９】
本発明が基礎となっている課題は、２つに分離されることができ、かつ参照された従来技術を参照して以上に設定された制限を構造的並びに機能的に克服するように設計された支柱を有する三脚を製造することである。
【課題を解決するための手段】
【００１０】
この課題は、２つの部分に分離されることができ、かつ以上の請求項に従って製造された支柱を有する三脚で、本発明により解決される。
【発明を実施するための最良の形態】
【００１１】
図面において、本発明に従って形成された支柱３が、軸方向に摺動可能なように中に挿入され支持されているクロスピース２を有する三脚が、１で示されている。長さ方向で入れ子式に調節されることができる３つ以上の脚部７が、本質的に知られた方法でクロスピース２に収束している。
【００１２】
前記支柱３は、軸Ｘを有し、長手方向に延びている。また、この支柱は、光学もしくは写真装置６のためのアンカーディスク５と、丸みのある頂点を有したほぼ三角形の断面を有し、かつ第１の部分８と第２の部分９とに分けられたロッド４とを備えている。この第１の部分と第２の部分とは、一方が他方の軸方向の延出部であって、それぞれのカップリング部材、即ち、部分８に固定するように取着された雄型のカップリング部材１０と、部分９に固定するように装着された雌型のカップリング部材１１とにより、互いに着脱可能に接続されている。
【００１３】
前記アンカーディスク５と、第１のロッド部分８と、雄型のカップリング１０とは、プラスチック材料、好ましくはモノリシック部材を形成する強化樹脂で一体成形されている。この成形品には、シャフト１２が軸方向に貫通している。
【００１４】
前記シャフト１２と同軸の円筒形のキャビティ１３が、アンカーディスク５と第１のロッド部分８との中に軸方向に延びるように形成されている。このキャビティ１３の底部には、通路１５が軸方向に貫通したベース１４がある。前記シャフト１２は、ベース１４の環状の突出部１６により、通路中に軸方向に保持され回転可能に支持されている。このために、この突出部は、通路１５へと突出し、シャフトの環状の溝部１８に係合している。
【００１５】
前記シャフト１２は、前記ディスク５から突出した雄ねじ１９と、他端部に軸方向の盲穴３９の雌ねじ２０とをそれぞれ有したねじ込み式の両端部を有している。
【００１６】
前記雄型のカップリング部材１０は、ディスク５の反対側の端部で第１の部分８に設けられ、３つのウェッジ状の部材２１を有している（第１の部分の断面の側面の数に等しい数であることが好ましいが、少なくとも１つで十分である）。これらウェッジは、互いに等しい角距離で配置され、ショルダー部２２から延び、このショルダー部から離れるようにディスク５側からテーパ付けられている。
【００１７】
前記第２のロッド部分９は、好ましくは金属からなる管状の部材２３を有している。この部材は、また、丸みのある頂点を有した正三角形の断面を有し、雌型のカップリング部材１１を支持している。この雌型のカップリング部材１１は、プラスチック材料で形成され、かつ軸方向の一端部で部分９中に挿入されたビーカー形状部２４を有している。このビーカー形状部２４には、軸方向の３つ（以上）のスロット２５が形成されている。これらスロットは、互いに等しい角距離で配置され、前記ウェッジ状の部材２１の形状に対応したウェッジ状のくぼみを有している。ビーカー形状部２４は、リップ２６を有しており、このリップによって、ビーカー形状部は、管状の部材２３の自由リムを把持している。また、ビーカー形状部は、他端部が、通路２８が軸方向に貫通したベース２７により閉じられている。第２の部分９内には、第２のシャフト２９が、通路２８を貫通して軸方向に延びている。このシャフトは、第２の部分の中央部分のところに支持され、軸方向で保持されているが、シャフトの径方向のふくらみ部分により、シャフト自体の軸を中心として回転可能であり得る。このふくらみ部分は、ワッシャー３１を介在させて、ビーカー形状部２４の下部を閉成しているベース２７に当接している。
【００１８】
前記第２のシャフト２９は、ビーカー形状部２４の反対側の端部に、ハンドグリップ３２を有している。このハンドグリップには、シャフトが、ねじ込み式のカップリング３３により固定されている。このシャフトは、また、管状の部材２３の対応した一端部中に挿入されたプラグ３４を貫通して延びている。所定のクリアランスに対して間隙調節をしているワッシャー３６を有するばね３５が、前記プラグ３４とハンドグリップ３２との間に狭持されている。最後に、第２の部分が第１の部分から外された場合に、この第２の部分を紛失してしまうのを防止するために、留め部材３７が、第２の部分９を留めるために設けられている。また、前記ビーカー形状部中に収容されたシャフト２９の一端部には、ねじ３８がある。このねじ３８は、第１のシャフトのねじ穴３９中に係合されることにより、２つの部分８，９を互いにしっかりと結合させることができる。
【００１９】
前記２つのロッド部分８，９間の接続は、雄型カップリング１０のウェッジ状の部材２１が雌型カップリング１１のスロット２５中に係合されることにより、クリアランスがなく、しっかりと果たされる。シャフト２９をシャフト１２中にねじ込むことにより、ウェッジ状の部材２１が圧縮力を発生する。この圧縮力は、雌型カップリング１１の外周全体に渡って等しく分散され、従って、両カップリングの非対称状態もしくは不具合を自動的に回復して補償する。両カップリングのために使用されるプラスチック材料の適切な選択により、係合に必要とされる面に、素早く容易な非係合動作を可能にする把持抑制(anti-seizure)性質を与えることも可能である。
【００２０】
本発明は、分離可能な支柱を有する写真の使用のための三脚の製造を可能にしており、この支柱の上側のロッド部分全体は、カップリングメカニズムに加えて、また、ロッドと写真装置を取着するためのディスクとを有し、プラスチック材料からなる一体成形品で形成されている。
【００２１】
２つに分離されることができ、かつ本発明に従って形成された支柱は、迅速かつ容易な組み立てを可能にし、雄型並びに雌型のカップリングの構造は、しっかりとし、長持ちで、クリアランスのない取着を獲得することを可能にしている。
【００２２】
さらに、この接続メカニズムは、実質的な強度により特徴付けられ、そして、ロッドが互いに分離されたときでさえ、ぶつけられたり落とされたりしてダメージを受けるようなカップリングのメカニズムは、露出されたままにはならない。
【００２３】
従って、本発明は、参照された従来技術に関する上記の問題を解決している。さらに、本発明は、低コストで支柱の上側の部分全体を製造する解決策を提供し、従って、プラスチック材料の射出モールド成形により完成品を製造し、かくして、支柱の上側の部分を従来構成していたメカニズム部分の全てと、従来必要であったメカニズムの組み立て動作の全てとをなくすことができる。
【図面の簡単な説明】
【００２４】
【図１】写真装置を有する三脚の斜視概略図である。
【図２】図１の三脚の第１の支柱部分の斜視図である。
【図３】図１の三脚の第２の支柱部分の斜視図である。
【図４】図１の三脚の支柱を長手方向で切断した断面図である。
【図５】図１の三脚の第２の支柱部分の細部の図である。
【図１】
2007537402.tif 000003
【図２】
2007537402.tif 000004
【図３】
2007537402.tif 000005
【図４】
2007537402.tif 000006
【図５】
2007537402.tif 000007
【国際調査報告】
2007537402.tif 000008
2007537402.tif 000009
2007537402.tif 000010